(57)【要約】【課題】プロテクタ内での異音を抑制しつつ、配線部のうちプロテクタから延出する部分の余長を、その余長量の変動に応じてより確実に吸収できるようにすることを目的とする。【解決手段】配線モジュール１０は、少なくとも１本の電線１３を含む配線部（例えば、分岐線１２ｂ）と、配線部の延在方向中間部を収容するプロテクタ本体部２２と、プロテクタ本体部２２の内周部に、配線部の延在方向に沿って間隔をあけて設けられた複数の突起部４０とを含むプロテクタ２０とを備える。結束部材５０が、複数の突起部４０の間で配線部を突起部４０の基端側に向けて引っ張るように、プロテクタ本体部２２の一部及び配線部に巻付けられている。【選択図】図１
2015146670.tif 000002
【特許請求の範囲】
【請求項１】
少なくとも１本の電線を含む配線部と、
前記配線部の延在方向中間部を収容するプロテクタ本体部と、前記プロテクタ本体部の内周部に、前記配線部の延在方向に沿って間隔をあけて設けられた複数の突起部とを含むプロテクタと、
前記複数の突起部の間で前記配線部を前記突起部の基端側に向けて引っ張るように、前記プロテクタ本体部の一部及び前記配線部に巻付けられた結束部材と、
を備える配線モジュール。
【請求項２】
請求項１に記載の配線モジュールであって、
前記プロテクタ本体部のうち前記複数の突起部間の部分に、前記複数の突起部の先端部を結ぶラインを横切るように、前記結束部材が通過可能な結束部材通し孔が形成されている、配線モジュール。
【請求項３】
請求項１又は請求項２に記載の配線モジュールであって、
前記プロテクタ本体部と、前記複数の突起部とが一体成形されている、配線モジュール。
【請求項４】
請求項１〜請求項３のいずれか１項に記載の配線モジュールであって、
前記複数の突起部の先端部が、先端側に向けて凸となるように湾曲している、配線モジュール。
【請求項５】
少なくとも１本の電線を含む配線部を収容可能なプロテクタであって、
前記配線部の延在方向中間部を収容するプロテクタ本体部と、
前記プロテクタ本体部の内周部に、前記配線部の延在方向に沿って間隔をあけて設けられた複数の突起部と
を備え、
前記プロテクタのうち前記複数の突起部間の部分に、前記複数の突起部の先端部を結ぶラインを横切るように、結束部材が通過可能な結束部材通し孔が形成されている、プロテクタ。
【請求項６】
少なくとも１本の電線を含む配線部をプロテクタ内に収容して配線モジュールを製造する方法であって、
前記配線部の延在方向中間部を、プロテクタ本体部内に収容し、前記プロテクタ本体部の内周部に前記配線部の延在方向に沿って間隔をあけて設けられた複数の突起部の先端部側を通過するように配設する工程と、
前記複数の突起部の間で前記配線部を前記突起部の基端側に向けて引っ張るように、結束部材を、前記プロテクタ本体部の一部及び前記配線部に巻付ける工程と、
を備える配線モジュールの製造方法。
【発明の詳細な説明】
【技術分野】
【０００１】
この発明は、電線を含む配線部をプロテクタに収容する技術に関し、特にプロテクタから延出する配線部の余長を吸収する技術に関する。
【背景技術】
【０００２】
特許文献１は、プロテクタ本体から外部へ引出される分岐ワイヤーハーネスの引出し寸法のばらつきを減少させる技術を開示している。
【０００３】
特許文献１では、プロテクタ本体の側壁と分岐電線群との間に弾性体を配置することによって、分岐電線群を位置決めしている。特許文献１では、弾性体が、分岐電線群に密着して弾性保持し、位置決め固定する。その結果、プロテクタから分岐線端末までの出代寸法を設定寸法に精度よく管理することできようになっている。
【０００４】
また、特許文献２は、プロテクタに、ワイヤーハーネスの配索方向に間隔をあけて両側壁より交互に挟持リブを突設し、上記挟持リブの間にワイヤーハーネスを蛇行挿通させてワイヤを位置決め保持する技術を開示している。この特許文献２では、ワイヤーハーネスに余長がある場合には上記挟持リブの間で複数回屈曲させて位置決め保持できるようになっている。
【先行技術文献】
【特許文献】
【０００５】
【特許文献１】特開平１１−１５５２１６号公報
【特許文献２】特開２００４―１６６４５４号公報
【発明の概要】
【発明が解決しようとする課題】
【０００６】
しかしながら、特許文献１では、分岐電線群の出代寸法を一定寸法にするため、余長分をプロテクタ本体内に収容すると、その余長分がプロテクタ内で動き、異音を発生させる可能性がある。また、特許文献１では、分岐電線群が引っ張られると、出代寸法を一定に維持できない可能性がある。
【０００７】
また、特許文献２では、余長量によっては、プロテクタ内でワイヤーハーネスが動き、異音を発生させてしまう可能性がある。
【０００８】
そこで、本発明は、プロテクタ内での異音を抑制しつつ、配線部のうちプロテクタから延出する部分の余長を、その余長量の変動に応じてより確実に吸収できるようにすることを目的とする。
【課題を解決するための手段】
【０００９】
上記課題を解決するため、第１の態様に係る配線モジュールは、少なくとも１本の電線を含む配線部と、前記配線部の延在方向中間部を収容するプロテクタ本体部と、前記プロテクタ本体部の内周部に、前記配線部の延在方向に沿って間隔をあけて設けられた複数の突起部とを含むプロテクタと、前記複数の突起部の間で前記配線部を前記突起部の基端側に向けて引っ張るように、前記プロテクタ本体部の一部及び前記配線部に巻付けられた結束部材と、を備える。
【００１０】
第２の態様は、第１の態様に係る配線モジュールであって、前記プロテクタ本体部のうち前記複数の突起部間の部分に、前記複数の突起部の先端部を結ぶラインを横切るように、前記結束部材が通過可能な結束部材通し孔が形成されているものである。
【００１１】
第３の態様は、第１又は第２の態様に係る配線モジュールであって、前記プロテクタ本体部と、前記複数の突起部とが一体成形されている。
【００１２】
第４の態様は、第１〜第３のいずれか１つの態様に係る配線モジュールであって、前記複数の突起部の先端部が、先端側に向けて凸となるように湾曲しているものである。
【００１３】
第５の態様は、少なくとも１本の電線を含む配線部を収容可能なプロテクタであって、前記配線部の延在方向中間部を収容するプロテクタ本体部と、前記プロテクタ本体部の内周部に、前記配線部の延在方向に沿って間隔をあけて設けられた複数の突起部とを備え、前記プロテクタのうち前記複数の突起部間の部分に、前記複数の突起部の先端部を結ぶラインを横切るように、結束部材が通過可能な結束部材通し孔が形成されているものである。
【００１４】
第６の態様は、少なくとも１本の電線を含む配線部をプロテクタ内に収容して配線モジュールを製造する方法であって、前記配線部の延在方向中間部を、プロテクタ本体部内に収容し、前記プロテクタ本体部の内周部に前記配線部の延在方向に沿って間隔をあけて設けられた複数の突起部の先端部側を通過するように配設する工程と、前記複数の突起部の間で前記配線部を前記突起部の基端側に向けて引っ張るように、結束部材を、前記プロテクタ本体部の一部及び前記配線部に巻付ける工程と、を備える。
【発明の効果】
【００１５】
第１の態様によると、結束部材が、複数の突起部の間で配線部を前記突起部の基端側に向けて引っ張るように、プロテクタ本体部の一部及び配線部に巻付けられているため、プロテクタ内での配線部とプロテクタの内面との間での異音を抑制しつつ、配線部のうちプロテクタから延出する部分の余長を、その余長量の変動に応じてより確実に吸収できる。
【００１６】
第２の態様によると、結束部材を、結束部材通し孔に通しつつ、前記プロテクタ本体部の一部及び前記配線部に巻付けることができるため、配線部をプロテクタ内により完全に収容することができる。
【００１７】
第３の態様によると、前記プロテクタ本体部と、前記複数の突起部とが一体成形されているため、配線モジュールの製造コストを低くすることができる。
【００１８】
第４の態様によると、配線部と突起部との接触による、配線部のダメージを抑制できる。
【００１９】
第５の態様によると、結束部材を、結束部材通し孔に挿通して、複数の突起部の間で配線部を前起部の基端側に向けて引っ張るように、プロテクタ本体部の一部及び配線部に巻付けることで、プロテクタ内での配線部とプロテクタの内面との間での異音を抑制しつつ、配線部のうちプロテクタから延出する部分の余長を、その余長量の変動に応じてより確実に吸収できる。
【００２０】
第６の態様によると、複数の突起部の間で配線部を前起部の基端側に向けて引っ張るように、結束部材を、プロテクタ本体部の一部及び配線部に巻付けるため、プロテクタ内での配線部とプロテクタの内面との間での異音を抑制しつつ、配線部のうちプロテクタから延出する部分の余長を、その余長量の変動に応じてより確実に吸収できる。
【図面の簡単な説明】
【００２１】
【図１】実施形態に係る配線モジュールを示す概略平面図である。
【図２】図１のＩＩ−ＩＩ線におけるワイヤーハーネスの固定状態を示す説明図である。
【図３】プロテクタの一部分の概略平面図である。
【図４】配線モジュールを車両に取付けた状態を示す説明図である。
【図５】配線モジュールの製造工程を示す説明図である。
【図６】配線モジュールの製造工程を示す説明図である。
【図７】２つの突起部の間での分岐線の曲げ状態の例を示す説明図である。
【発明を実施するための形態】
【００２２】
以下、実施形態に係る配線モジュール、プロテクタ及び配線モジュールの製造方法について説明する。図１は配線モジュール１０を示す概略平面図であり、図２は図１のＩＩ−ＩＩ線におけるワイヤーハーネス１２の固定状態を示す説明図であり、図３はプロテクタ２０の一部分の概略平面図であり、図４は配線モジュール１０を車両に取付けた状態を示す説明図である。
【００２３】
配線モジュール１０は、配線部としてのワイヤーハーネス１２と、プロテクタ２０と、結束部材５０とを備える。
【００２４】
ワイヤーハーネス１２は、複数の電線１３が束ねられることによって構成されている。ここでは、ワイヤーハーネス１２は、幹線１２ａの延在方向中間部から分岐線１２ｂが分岐するように、複数の電線１３が束ねられた構成とされている。なお、複数の電線１３の結束状態は、結束バンド、粘着テープ等によって維持されている。なお、図２等では、分岐線１２ｂの概形を示している。
【００２５】
ワイヤーハーネス１２の端部には、コネクタ１４が接続されている。本ワイヤーハーネス１２を含む配線モジュール１０が車両に組込まれた状態で、各電線の端部に取付けられたコネクタ１４が車両に搭載された各種電気部品に接続される。すなわち、本配線モジュール１０は、車両に搭載される諸電気部品同士を接続する部品として用いられる。
【００２６】
なお、本ワイヤーハーネス１２には、光ファイバコード等が含まれていてもよい。また、プロテクタ２０の収容対象となる配線部は、上記のように複数の電線１３が束ねられたものに限られず、１本の電線のみによって構成されていてもよい。
【００２７】
プロテクタ２０は、プロテクタ本体部２２と、複数（ここでは２つ）の突起部４０とを含む。ここでは、プロテクタ本体部２２と複数の突起部４０とが、軟化した樹脂を射出成形金型に射出することによって製造された、金型一体成形部品として構成されている。もっとも、プロテクタ本体部と複数の突起部とが別々に成形され、複数の突起部がプロテクタ本体部に対して接着剤、粘着材、嵌め込み構造等によって取付けられてもよい。
【００２８】
プロテクタ本体部２２は、幹線収容部２４と、分岐線収容部３０とを含む。
【００２９】
幹線収容部２４は、幹線１２ａを収容する部分であり、底板部２５と、一対の側板部２６とを備える。底板部２５は、細長板状に形成されている。一対の側板部２６は、底板部２５の両側部から立上がるように形成されている。そして、底板部２５と一対の側板部２６とで囲まれる空間内に、上記幹線１２ａの延在方向中間部を収容できる。
【００３０】
また、一対の側板部２６の一方の延在方向中間部に分岐用凹部２７が形成されており、この部分に分岐線収容部３０が設けられている。
【００３１】
分岐線収容部３０は、底板部３２と、一対の側板部３４とを備える。
【００３２】
底板部３２は、細長板状に形成され、底板部２５の側縁部のうち上記分岐用凹部２７が形成された部分から外方に延出するように形成されている。
【００３３】
一対の側板部３４は、底板部３２の両側部から立上がるように形成されている。一対の側板部３４の一端部は、上記側板部２６のうち分岐用凹部２７が形成された縁部に連なっている。そして、幹線１２ａから分岐用凹部２７の位置で分岐する分岐線１２ｂを、底板部３２と一対の側板部３４とで囲まれる空間内に収容できる。なお、分岐線１２ｂの先端部は分岐線収容部３０から延出しているため、本分岐線収容部３０は、配線部の延在方向中間部を収容している。
【００３４】
分岐線１２ｂは、分岐線収容部３０の外側端部から延出している。そして、分岐線１２ｂの端部のコネクタ１４が電気部品１８の相手側コネクタ１９に接続される。
【００３５】
なお、上記プロテクタ本体部２２のうち底板部２５、３２の反対側開口が蓋部によって閉じられていてもよい。
【００３６】
本配線モジュール１０は、次のようにして車両に組込まれる。
【００３７】
すなわち、プロテクタ２０が、車両に突設されたボルト、板状のブラケット、クランプ構造等を介して、車両の一定位置に固定される。また、分岐線１２ｂのうち分岐線収容部３０から延出する部分が、分岐線収容部３０の先端部と車両に搭載された電気部品１８との間に掛渡される。そして、分岐線１２ｂの先端部のコネクタ１４が車両に別途固定された電気部品１８のコネクタ１９に接続される。
【００３８】
ここで、プロテクタ２０及び電気部品１８は、それぞれ車両に固定されており、分岐線収容部３０の先端部と電気部品１８のコネクタ１９に対するコネクタ１４の接続箇所との距離が、寸法Ｌｂであるとする（図４参照）。
【００３９】
これに対し、プロテクタ２０に組込まれるワイヤーハーネス１２は、通常、所定長の端子付電線を結束することにより構成される。通常、ワイヤーハーネス１２を製造する際には、ある程度、誤差が発生する。このため、幹線１２ａを幹線収容部２４内に収容するようにワイヤーハーネス１２をプロテクタ２０に組込んだ状態で、当該幹線１２ａから分岐する分岐線１２ｂを分岐線収容部３０内に収容すると、分岐線１２ｂのうち分岐線収容部３０から延出する部分の長さ寸法Ｌａ（図１参照）はばらつく。
【００４０】
そして、寸法Ｌａが寸法Ｌｂよりも大きいと、分岐線収容部３０の先端部と電気部品１８との間で、分岐線１２ｂが弛んでしまう（図４において２点鎖線で示す分岐線１２ｂ参照）。とすると、分岐線１２ｂがその周辺部分に干渉し、異音の発生或は摩擦による劣化等を生じる恐れがある。
【００４１】
ここで、仮に、分岐線１２ｂの余長部分を分岐線収容部３０内に収めたとしても、当該余長部分が分岐線収容部３０内で弛んだままであると、同様に、分岐線１２ｂの余長部分が分岐線収容部３０内面に干渉し、異音の発生或は摩擦による劣化等を生じる恐れがある。
【００４２】
そこで、次に説明する複数の突起部４０と結束部材５０とを用いた構成によって、分岐線１２ｂの余長部分を、弛みを抑制しつつ吸収するようにしている。
【００４３】
すなわち、プロテクタ本体部２２の内周部に、分岐線１２ｂの延在方向に沿って間隔をあけて複数の突起部４０が設けられている。
【００４４】
ここでは、突起部４０が２つ設けられた例を説明するが、突起部が３つ以上設けられ、各間において後述するように結束部材５０が分岐線１２ｂに巻付けられていてもよい。
【００４５】
より具体的には、２つの突起部４０は、一方の側板部３４から他方の側板部３４に向けて突出するように設けられている。
【００４６】
突起部４０は、方形板状に形成されている。突起部４０の幅方向寸法（分岐線収容部３０の深さ方向の寸法）は、分岐線収容部３０の深さ寸法と同じであり、突起部４０の突出寸法（一対の側板部３４を結ぶ方向の寸法）は、一対の側板部３４間の内面間の寸法から分岐線１２ｂの外径寸法を減算した寸法よりも小さく設定されている。ここでは、突起部４０の突出寸法は、一対の側板部３４間の内面間の寸法の半分を超える寸法に設定されている。
【００４７】
突起部４０の基端部は、一方の側板部３４に一体化されており、突起部４０の一方の側部は、底板部３２に一体化されている。また、突起部４０の先端部４０ａは、先端側に向けて凸となるように湾曲する形状に形成されている。
【００４８】
２つの突起部４０は、配線部である分岐線１２ｂの延在方向に沿って間隔をあけて配設されている。２つの突起部４０間の寸法は、分岐線１２ｂを曲げて配設可能な程度の大きさに設定されている。
【００４９】
また、プロテクタ本体部２２のうち２つの突起部４０間の部分に、結束部材通し孔３８が形成されている。ここでは、結束部材通し孔３８は、底板部３２に形成されている。結束部材通し孔３８は、後述する結束部材５０のバンド部５４の幅より大きい幅のスリット状の孔であり、２つの突起部４０の先端部４０ａを結ぶラインを横切るように、底板部３２の幅方向に沿って細長く形成されている。従って、バンド部５４は、突起部４０の突出方向において位置を調整しつつ、底板部３２を通ることができる。
【００５０】
なお、上記２つの突起部及び結束部材通し孔３８の各部の好ましい寸法の一例は次の通りである。まず、突起部４０の突出寸法Ａは、収容対象となる分岐線１２ｂの外径に３〜５ｍｍを付加した値とすることが好ましい。また、２つの突起部４０の厚み方向中央部分間の寸法Ｄは３０ｍｍ以上とすることが好ましい。
【００５１】
より具体的には、この場合、突起部４０の突出方向において、突起部４０と結束部材通し孔３８とが重複する寸法Ｂは３〜５ｍｍ、突起部４０のうち結束部材通し孔３８と重複しない部分の寸法Ｃは分岐線１２ｂの外径と同じとすることが好ましい。また、２つの突起部４０の厚み方向中央部分間の寸法Ｄは３０ｍｍ、結束部材通し孔３８の幅寸法Ｅは５ｍｍとすることが好ましい。もっとも、上記各寸法は、想定される余長吸収量、配線部の外径等に応じて、適宜変更される。
【００５２】
結束部材５０自体は、一般的に、結束バンド、結束タイ等と呼ばれる部品である。すなわち、結束部材５０は、軟質樹脂等により一体形成された部品であり、バンド固定部５２と、バンド部５４とを備える。
【００５３】
バンド部５４は、一方主面に複数の係止溝が形成された帯状部分とされている。バンド固定部５２は、バンド部５４を挿通可能な角筒形状に形成されると共に、その内部に前記複数の係止溝に選択的に係止可能な係止爪が形成された構成とされている。そして、バンド部５４をバンド固定部５２に挿通して、バンド部５４の先端部を引っ張っていくと、係止爪がバンド部５４の延在方向の任意の位置で係止溝に一方向に係止した状態に保持され、これにより、結束部材５０が所定の周長の環状をなした状態に維持されるようになっている。
【００５４】
なお、結束部材としては、上記のような結束バンドの他、粘着テープ等を用いてもよい。
【００５５】
結束部材５０は、２つの突起部４０の間で、分岐線１２ｂを突起部４０の基端側に向けて引っ張るように、プロテクタ本体部２２の一部及び分岐線１２ｂに巻付けられている。
【００５６】
より具体的には、結束部材５０のバンド部５４が結束部材通し孔３８を通って分岐線収容部３０の底板部３２外方から内方に向けて導かれる。さらに、バンド部５４は、突起部４０の先端部に対向する側板部３４と分岐線１２ｂとの間を通って、分岐線収容部３０の上方開口に導かれる。そして、バンド部５４がバンド部５４に挿通されている。この状態で、結束部材５０の周長が短くなるように締付けられて、２つの突起部４０の間で、分岐線１２ｂが突起部４０の基端側に向けて引っ張られている。この状態で、分岐線１２ｂは、２つの突起部４０の間でその基端側に向けてＶ字状に曲げられる。この曲げの状態に応じて、分岐線１２ｂの余長が吸収されている。
【００５７】
上記配線モジュール１０の製造方法について説明する。
【００５８】
まず、図５に示すように、配線部の延在方向中間部である分岐線１２ｂを、プロテクタ本体部２２内に収容する。そして、分岐線１２ｂを、プロテクタ本体部２２内であって２つの突起部４０の先端部側を通過するように配設する。
【００５９】
この後、図６に示すように、結束部材５０のバンド部５４を結束部材通し孔３８に通し、分岐線収容部３０のうち結束部材通し孔３８の一側外方部分及び分岐線１２ｂの周りに配設する。そして、バンド部５４の先端部をバンド固定部５２に通し、２つの突起部４０の間で、分岐線１２ｂを突起部４０の基端側に向けて引っ張るように、結束部材５０を締付けて、結束部材５０を、分岐線収容部３０のうち結束部材通し孔３８の一側外方部分及び分岐線１２ｂに巻回する。
【００６０】
この際、分岐線１２ｂのうち分岐線収容部３０から延出する部分の長さ寸法Ｌａが、分岐線収容部３０と電気部品１８との距離に応じた寸法Ｌｂとなるように、バンド部５４の締付け量、即ち、２つの突起部４０の間での分岐線１２ｂの曲げ程度を調整する。従って、２つの突起部４０の間での分岐線１２ｂの曲げ程度は、図１と図７とに示すように、異なる場合があり得る。図１では、分岐線１２ｂの余長が比較的大きく、従って、２つの突起部４０の間で分岐線１２ｂが比較的大きく曲げられた場合を示しており、図７では、分岐線１２ｂの余長が比較的小さく、従って、２つの突起部４０の間で分岐線１２ｂが比較的小さく曲げられた場合を示している。
【００６１】
これにより、配線モジュール１０が完成する。
【００６２】
以上のように構成された配線モジュール１０、プロテクタ２０及び配線モジュールの製造方法によると、複数の突起部４０の間で分岐線１２ｂを突起部４０の基端側に向けて引っ張るように、結束部材５０がプロテクタ本体部２２の分岐線１２ｂの一部及び配線部である分岐線１２ｂに巻付けられている。このため、分岐線１２ｂのうち分岐線収容部３０から延出する部分の余長を、その余長量に応じて前記引っ張り量を調整して分岐線１２ｂの曲げ程度を調整して、当該余長をより確実に吸収できる。
【００６３】
また、分岐線１２ｂの余長はプロテクタ２０内で吸収され、複数の突起部４０の間では、分岐線１２ｂが突起部４０の基端側に向けて引っ張られているため、分岐線１２ｂの自由な動きが抑制され、分岐線収容部３０内での分岐線１２ｂと分岐線収容部３０の内面との間での異音の発生及び他の部分との干渉を有効に抑制できる。
【００６４】
また、分岐線１２ｂは、結束部材５０により引っ張られ、複数の突起部４０の先端部４０ａに押付けられた状態となっているため、分岐線１２ｂはその延在方向において移動し難い。このため、分岐線収容部３０からの分岐線１２ｂの延出量を一定に保つことができ、本配線モジュール１０を車両に組付ける際に、分岐線１２ｂが引っ張られたとしても、分岐線１２ｂのうち分岐線収容部３０から延出する部分の長さ寸法をより確実に一定に保つことができる。
【００６５】
また、結束部材５０を、結束部材通し孔３８に通しつつ、分岐線収容部３０の一部及び分岐線１２ｂに巻付けることができるため、分岐線１２ｂの３方を囲うような分岐線収容部３０においても、余長吸収を行うことができ、分岐線１２ｂを分岐線収容部３０内により完全に収容することができる。
【００６６】
もっとも、プロテクタ本体部が分岐線１２ｂの３方を覆っていることは必須ではなく、２方又は１方向から覆う構成であってもよい。この場合には、プロテクタを構成する底板部又は側板部の幅等によっては、結束部材通し孔を設けなくてもよい。
【００６７】
また、プロテクタ本体部２２と突起部４０とが一体形成されているため、プロテクタ２０を低コストで製造できる。
【００６８】
また、突起部４０の先端部４０ａが先端側に向けて湾曲する形状に形成されているため、分岐線１２ｂと突起部４０との接触による、分岐線１２ｂのダメージを抑制できる。
【００６９】
｛変形例｝
なお、上記実施形態では、ワイヤーハーネス１２が幹線１２ａと分岐線１２ｂとを含み、当該分岐線１２ｂの余長を吸収する例で説明したが、分岐線１２ｂでない配線部に対しても適用可能である。
【００７０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７１】
１０  配線モジュール
１２  ワイヤーハーネス
１２ａ  幹線
１２ｂ  分岐線
１３  電線
２０  プロテクタ
２２  プロテクタ本体部
２４  幹線収容部
３０  分岐線収容部
４０  突起部
４０ａ  先端部
５０  結束部材
【図１】
2015146670.tif 000003
【図２】
2015146670.tif 000004
【図３】
2015146670.tif 000005
【図４】
2015146670.tif 000006
【図５】
2015146670.tif 000007
【図６】
2015146670.tif 000008
【図７】
2015146670.tif 000009